(57)【要約】【課題】  液晶表示装置とその発光効率を向上させる方法を提供する。【解決手段】  液晶表示装置は、第１の偏光板と、半波長板と、液晶セルと、第２の偏光板とを含む。この液晶表示装置は、バックライトモジュールをさらに備え、バックライトモジュールは第１の偏光を発生する。第１の偏光板はバックライトモジュールと対向して設けられており、透過軸を有する。半波長板はバックライトモジュールと第１の偏光板との間に設けられており、第１の偏光はこの半波長板を透過することにより透過軸に平行な第２の偏光を発生する。第２の偏光板は、第１の偏光板と対向して設けられている。液晶セルは、第１の偏光板と第２の偏光板との間に設けられている。第２の偏光は、第１の偏光板と液晶セルと第２の偏光板を通過して液晶表示装置から出射される。【選択図】  図２
2007304586.tif 000002
【特許請求の範囲】
【請求項１】
第１の偏光を発生するバックライトモジュールと、
前記バックライトモジュールと対向する第１の偏光板と、
前記バックライトモジュールと前記第１の偏光板との間に介在する半波長板と、
前記第１の偏光板と対向する第２の偏光板と、
前記第１の偏光板と前記第２の偏光板との間に介在する液晶セルと、
を備え、
前記第１の偏光板は、所定の透過軸を有しており、
前記バックライトモジュールが発生する前記第１の偏光は、前記半波長板を透過することによって、前記第１の偏光板の透過軸に平行な第２の偏光に変換され、
前記第２の偏光は、前記第１の偏光板と前記液晶セルと前記第２の偏光板を通過して、液晶表示装置から射出することを特徴とする液晶表示装置。
【請求項２】
前記バックライトモジュールは、偏光フィルムを備えることを特徴とする請求項１に記載の液晶表示装置。
【請求項３】
前記バックライトモジュールは、光源をさらに備え、
前記光源が発生する光は、前記偏光フィルムを透過することによって、前記第１の偏光に変換されることを特徴とする請求項２に記載の液晶表示装置。
【請求項４】
前記第１の偏光は、楕円偏光であることを特徴とする請求項１から３のいずれかに記載の液晶表示装置。
【請求項５】
前記第２の偏光は、楕円偏光であることを特徴とする請求項１から４のいずれかに記載の液晶表示装置。
【請求項６】
前記楕円偏光の長軸は、前記第１の偏光板の透過軸に略平行であることを特徴とする請求項５に記載の液晶表示装置。
【請求項７】
前記半波長板は遅相軸を有しており、
前記半波長板の遅相軸の角度は、前記第１の偏光の角度と前記第１の偏光板の透過軸の角度の和の略２分の１であることを特徴とする請求項１から６のいずれかに記載の液晶表示装置。
【請求項８】
前記第１の偏光板は、前記半波長板と一体化されて複合光学フィルムを形成していることを特徴とする請求項１から７のいずれかに記載の液晶表示装置。
【請求項９】
バックライトモジュールにより第１の偏光を発生するステップと、
前記第１の偏光を、第１の偏光板の透過軸に平行な第２の偏光に変換するステップと、
前記第２の偏光を、前記第１の偏光板と液晶セルと第２の偏光板とを順に通過させ、液晶表示装置から出射させるステップと、
を備える液晶表示装置の発光効率を向上させる方法。
【請求項１０】
前記第１の偏光を、半波長板を透過させることによって前記第２の偏光に変換することを特徴とする請求項９に記載の発光効率を向上させる方法。
【請求項１１】
前記半波長板は、所定の遅相軸を有し、
前記遅相軸の角度は、前記第１の偏光の角度と前記第１の偏光板の透過軸の角度の和の略２分の１であることを特徴とする請求項１０に記載の発光効率を向上させる方法。
【請求項１２】
前記第１の偏光は、前記バックライトモジュールの光源から発せられた光が偏光フィルムを透過することによって発生することを特徴する請求項９から１１のいずれかに記載の発光効率を向上させる方法。
【請求項１３】
前記第１の偏光は、楕円偏光であることを特徴とする請求項９から１２のいずれかに記載の発光効率を向上させる方法。
【請求項１４】
前記第２の偏光は、楕円偏光であることを特徴とする請求項９から１３のいずれかに記載の発光効率を向上させる方法。
【請求項１５】
前記楕円偏光の長軸は、前記第１の偏光板の透過軸に略平行であることを特徴とする請求項１４に記載の発光効率を向上させる方法。
【請求項１６】
光を発生するバックライトモジュールを備えた液晶表示装置であって、
前記バックライトモジュール内に設けられた偏光フィルムと、
前記バックライトモジュールと対向する第１の偏光板と、
前記バックライトモジュールと前記第１の偏光板との間に介在する半波長板と、
前記第１の偏光板と対向する第２の偏光板と、
前記第１の偏光板と前記第２の偏光板との間に介在する液晶セルと、
をさらに備え、
前記偏光フィルムは、前記光を第１の偏光に変換し、
前記第１の偏光板は、所定の透過軸を有し、
前記第１の偏光は、前記半波長板を透過することによって、前記第１の偏光板の透過軸に平行な第２の偏光に変換され、
前記第２の偏光は、前記第１の偏光板と前記液晶セルと前記第２の偏光板を通過して、液晶表示装置から射出することを特徴とする液晶表示装置。
【請求項１７】
前記バックライトモジュールは、前記光を発生する光源をさらに備えることを特徴とする請求項１６に記載の液晶表示装置。
【請求項１８】
前記第１の偏光は、楕円偏光であることを特徴とする請求項１６又は１７に記載の液晶表示装置。
【請求項１９】
前記第２の偏光は、楕円偏光であることを特徴とする請求項１６から１８のいずれかに記載の液晶表示装置。
【請求項２０】
前記楕円偏光の長軸は、前記第１の偏光板の透過軸に略平行であることを特徴とする請求項１９に記載の液晶表示装置。
【請求項２１】
前記半波長板は、所定の遅相軸を有し、
前記遅相軸の角度は、前記第１の偏光の角度と前記第１の偏光板の透過軸の角度の和の約２分の１であることを特徴とする請求項１６から２０のいずれかに記載の液晶表示装置。
【請求項２２】
前記第１の偏光板は、前記半波長板と一体化されて複合光学フィルムを形成していることを特徴とする請求項１６から２１のいずれかに記載の液晶表示装置。
【請求項２３】
第１の偏光を発生するバックライトモジュールを備えた液晶表示装置であって、
前記バックライトモジュールと対向する第１の偏光板と、
前記バックライトモジュールと前記第１の偏光板との間に介在する半波長板と、
前記第１の偏光板と対向する第２の偏光板と、
前記第１の偏光板と前記第２の偏光板との間に介在する液晶セルと、
をさらに備え、
前記第１の偏光板は、所定の透過軸を有し、
前記半波長板は、所定の遅相軸を有し、
前記遅相軸の角度は、前記第１の偏光の角度と前記第１の偏光板の透過軸の角度との和の約２分の１であり、
前記第１の偏光は、前記半波長板を透過することによって、前記第１の偏光板の透過軸に平行な第２の偏光に変換され、
前記第２の偏光は、前記第１の偏光板と前記液晶セルと前記第２の偏光板を通過して、液晶表示装置から射出することを特徴とする液晶表示装置。
【請求項２４】
前記バックライトモジュールは、偏光フィルムを備えることを特徴とする請求項２３に記載の液晶表示装置。
【請求項２５】
前記バックライトモジュールは光源をさらに備え、
前記光源が発した光は、前記偏光フィルムを透過することによって第１の偏光に変換されることを特徴とする請求項２４に記載の液晶表示装置。
【請求項２６】
前記第１の偏光は、楕円偏光であることを特徴とする請求項２３から２５のいずれかに記載の液晶表示装置。
【請求項２７】
前記第２の偏光は、楕円偏光であることを特徴とする請求項２３から２６のいずれかに記載の液晶表示装置。
【請求項２８】
前記楕円偏光の長軸は、前記第１の偏光板の透過軸に略平行であることを特徴とする請求項２７に記載の液晶表示装置。
【請求項２９】
前記第１の偏光板は、前記半波長板と一体化されて複合光学フィルムを形成していることを特徴とする請求項２３に記載の液晶表示装置。
【発明の詳細な説明】
【技術分野】
【０００１】
本発明は、液晶表示装置とその発光効率を向上させる方法に関する。特に、半波長板を備える液晶表示装置とその発光効率を向上させる方法に関する。
【背景技術】
【０００２】
今日、液晶表示装置はますます広く使用されるようになり、一般のデスクトップパソコンやノートパソコンのディスプレイとしての用途以外にも、近年は液晶テレビにおける使用も急速に伸びている。しかし、液晶ディスプレイは、年々普及が進んでいるとはいえ、さらに解決すべき技術的課題もいくつか残されている。例えば、広視野角、コントラスト、色飽和度、応答速度および発光効率など課題が挙げられる。
【０００３】
技術の発展に伴い、上記の問題はいずれも大幅に改善されてきている。しかし、発光効率の問題にはなお改善すべき余地が残されている。図１Ａに示すように、一般的な液晶表示装置は、バックライトモジュール１１と液晶表示素子１２を備える。このうち液晶表示素子１２は、下偏光板１２１と液晶セル１２２と上偏光板１２３をさらに含む。
【０００４】
図１Ｂは、一般的な下偏光板１２１の構成を示す。下偏光板１２１は、保護層１２１ａと、第１のＴＡＣ層１２１ｂと、ＰＶＡ層１２１ｃと、第２のＴＡＣ層１２１ｄと、補償層１２１ｆと、離型フィルム１２１ｈを順に配置して含む。このうち第２のＴＡＣ層１２１ｄと補償層１２１ｆとの間は第１の粘着剤１２１ｅにより接合されており、また補償層１２１ｆと離型フィルム１２１ｈとの間は第２の粘着剤１２１ｇにより接合されている。ここで、ＴＡＣはトリアセチルセルロースであり、ＰＶＡはポリビニルアルコールである。
【０００５】
上記の構成では、バックライトモジュール１１は光源により光１１１を発生し、光１１１が下偏光板１２１と液晶セル１２２と上偏光板１２３とを透過することにより、使用者は各色からなる映像画面を見ることができる。しかし、バックライトモジュール１１の光源の発生する光１１１は自然光、即ち特定の偏光状態にない光であり、直線偏光、円偏光、楕円偏光を含み得る。光１１１が下偏光板１２１を透過する際には、偏光板１２１の透過軸に平行な偏光方向を有する光１１１しか透過することができない。このために光の効率に相当大きなロスが生じ、これにより液晶表示装置の発光効率が悪くなっている。
【０００６】
バックライトモジュール１１が赤Ｒ、緑Ｇ、青Ｂの３色の光を発生し、かつ赤Ｒ、緑Ｇ、青Ｂの光の透過軸に平行な成分の割合がそれぞれ、
【数１】
2007304586.tif 000003
を満たし、一方、赤Ｒ、緑Ｇ、青Ｂの光の透過軸に垂直な成分の割合がそれぞれ、
【数２】
2007304586.tif 000004
を満たすと仮定すると、その透過率は次式のとおりとなる。
【数３】
2007304586.tif 000005
【０００７】
上式から明らかなように、もし液晶の吸収効果を考慮しなければ、この場合の光透過率Ｔは４９．４％である。つまり、光の半分以上が無駄に失われており、このことにより液晶表示装置の発光効率が悪くなっている。
【発明の開示】
【発明が解決しようとする課題】
【０００８】
従って、発光効率を向上させることのできる液晶表示装置とその発光効率を向上させる方法を提供することが現在の重要課題の一つとなっている。
【０００９】
本発明は上記の課題に鑑みてなされたものであり、発光効率を向上させることのできる液晶表示装置とその発光効率を向上させる方法を提供することを目的とする。
【課題を解決するための手段】
【００１０】
上記の目的を達成するために、本発明による液晶表示装置は、第１の偏光板と、半波長板と、液晶セルと、第２の偏光板とを含む。この液晶表示装置はバックライトモジュールを備え、バックライトモジュールは第１の偏光を発生する。第１の偏光板は、所定の透過軸を有しており、バックライトモジュールと対向して設けられる。半波長板は、バックライトモジュールと第１の偏光板との間に設けられる。バックライトモジュールが発生する第１の偏光は、半波長板を透過することによって、第１の偏光板の透過軸に平行な第２の偏光に変換される。第２の偏光板は、第１の偏光板と対向して設けられる。液晶セルは、第１の偏光板と第２の偏光板との間に設けられる。第２の偏光は、第１の偏光板と液晶セルと第２の偏光板を通過して、液晶表示装置から出射する。
【００１１】
上記の目的を達成するために、本発明による液晶表示装置の発光効率を向上させる方法は、次のステップ、即ち、バックライトモジュールにより第１の偏光を発生するステップと、第１の偏光を第１の偏光板の透過軸に略平行な第２の偏光に変換するステップと、第２の偏光を第１の偏光板と液晶セルと第２の偏光板とを順に経由して液晶表示装置から出射させるステップを含む。
【００１２】
上記の目的を達成するために、本発明による別の液晶表示装置は、偏光フィルムと、第１の偏光板と、半波長板と、第２の偏光板と、液晶セルとを含む。この液晶表示装置はバックライトモジュールを備え、バックライトモジュールは光を発生する。偏光フィルムは、バックライトモジュール内に設けられる。偏光フィルムは、光を第１の偏光に変換する。第１の偏光板は、所定の透過軸を有しており、バックライトモジュールと対向して設けられる。半波長板は、バックライトモジュールと第１の偏光板との間に設けられる。前記第１の偏光は、半波長板を透過することにより、第１の偏光板の透過軸に略平行な第２の偏光となる。第２の偏光板は、第１の偏光板と対向して設けられる。液晶セルは、第１の偏光板と第２の偏光板との間に設けられる。前記第２の偏光は、第１の偏光板と液晶セルと第２の偏光板を通過して、液晶表示装置から出射する。
【００１３】
また、上記目的を達成するために、本発明によるさらに別の液晶表示装置は、第１の偏光板と、半波長板と、液晶セルと、第２の偏光板とを含む。液晶表示装置はバックライトモジュールを備え、バックライトモジュールは第１の偏光を発生する。第１の偏光板は、所定の透過軸を有しており、バックライトモジュールと対向して設けられる。半波長板は所定の遅相軸を有しており、その角度は第１の偏光の角度と第１の偏光板の透過軸の角度との和の約２分の１である。半波長板は、バックライトモジュールと第１の偏光板との間に設けられる。第１の偏光は、半波長板を透過することによって、第１の偏光板の透過軸に略平行な第２の偏光となる。第２の偏光板は、第１の偏光板と対向して設けられる。液晶セルは、第１の偏光板と第２の偏光板との間に設けられる。第２の偏光は、第１の偏光板と液晶セルと第２の偏光板を通過して液晶表示装置から出射する。
【００１４】
上述したように、本発明による液晶表示装置とその発光効率を向上させる方法は、半波長板を用いて第１の偏光を第１の偏光板の透過軸に略平行な第２の偏光に変換することにより、即ち、第２の偏光に特定の方向性を付与することにより、第１の偏光板を透過する際の光の効率を高めることが可能になる。その結果として、液晶表示装置の発光効率を向上させることができる。
【発明を実施するための最良の形態】
【００１５】
以下、本発明の好ましい実施形態における液晶表示装置とその発光効率を向上させる方法について、関連する図面を参照しながら説明する。同一の要素に対しては、同一の符号を用いて説明する。
【００１６】
図２に示すように、本発明の好ましい実施形態における液晶表示装置は、第１の偏光板２２と、半波長板２３と、第２の偏光板２４と、液晶セル２５を含む。また、液晶表示装置は、第１の偏光２１１を発生するバックライトモジュール２１を備える。バックライトモジュール２１は、少なくとも光源ＬＳとＶ溝フィルム２１２とを備えている。
Ｖ溝フィルム２１２は、その表面に微細なＶ字形状の断面（又はそれに准ずる断面形状）を有する溝を複数形成した偏光フィルムである。なお、Ｖ溝フィルム２１２は、他の形態の偏光フィルムであってもよい。バックライトモジュール２１は、光源ＬＳの位置による直下型又はサイドエッジ型に区別されるが、いずれのタイプでもよい。光源ＬＳは、少なくとも１つの光を発生する。その光は、Ｖ溝フィルムを透過することにより、第１の偏光２１１となる。本実施形態において、第１の偏光２１１は楕円偏光である。第１の偏光板２２は、バックライトモジュール２１の光出射面と対向して設けられる。また、第１の偏光板２２は、所定の透過軸２２１を有する直線偏光子である。
【００１７】
半波長板２３は、バックライトモジュール２１と第１の偏光板２２との間に設けられる。第１の偏光２１１は、半波長板２３を透過することにより、第１の偏光板２２の透過軸２２１に平行な第２の偏光２１３に変換（回転）される。半波長板２３は、進相軸と遅相軸とを有する。光は、進相軸に沿って進む時の速度が速く、遅相軸に沿って進む時の速度が遅いという性質を有する。本実施形態においては、第２の偏光２１３は、第１の偏光２１１と同様に楕円偏光である。ここで留意すべきは、図３Ａに示すように、楕円は長軸ＡＬと短軸ＡＳを有するが、ここで第２の偏光（楕円偏光）２１３が第１の偏光板２２の透過軸２２１に平行であると述べているのは、楕円の長軸ＡＬが第１の偏光板２２の透過軸２２１に平行であることを述べている。つまり、第２の偏光のうち最大のベクトル（強度と向き）で表現される光成分が透過軸と平行になるように、第１の偏光を回転させる。それにより、光の使用効率が高められる。
【００１８】
再度図２を参照すると、第２の偏光板２４は、液晶セル２５を挟んで第１の偏光板２２と対向している。液晶セル２５は、少なくとも２つの電極と、２つの電極の間に設けられた液晶層（図示せず）とを含む。本実施形態において、第２の偏光２１３は、第１の偏光板２２と液晶セル２５、第２の偏光板２４を通過（透過）して、液晶装置から出射する。
【００１９】
図４（Ａ）から図４（Ｃ）までを参照すると、本実施形態において、Ｖ溝フィルム２１２を透過して出射した第１の偏光２１１の偏光状態が直線偏光に近い状態であって、偏光の強度が最大となる角度θVが図４（Ａ）に示すとおりであって、第１の偏光板２２の透過軸２２１の角度θPが図４（Ｂ）に示すとおりであると仮定すると、図４Ｃに示すように半波長板２３の遅相軸２３１の最適角度θ1/2はθ1/2＝θP＋（θP−θV）／２となる。即ち、図４（Ｄ）に示すように、半波長板２３の遅相軸２３１の角度は、第１の偏光２１１の角度と第１の偏光板２２の透過軸２２１の角度との和の約１／２である。換言すれば、半波長板２３の遅相軸２３１は、第１の偏光２１１の偏光軸と第１の偏光板２２の透過軸２２１が成す角の二等分線に相当する。尚、最も好適な半波長板２３は、位相差の波長分散特性が次式、Ｒ（λ）／Ｒ（５５０ｎｍ）≒１を満たすものである。
【００２０】
本実施形態においては、図５Ａに示すように、液晶表示装置は拡散フィルム２６をさらに含む。拡散フィルム２６は、第１の偏光板２２と半波長板２３との間に配置してもよく、また半波長板２３に直接貼り合わせてもよい。
【００２１】
また、図５Ｂに示すように、図５Ａに示された第１の偏光板２２を半波長板２３と一体化して複合光学フィルム２２ａを形成し、拡散フィルム２６を複合光学フィルム２２ａとバックライトモジュール２１との間に設けてもよい。複合光学フィルム２２ａは、保護層２２２ａと、半波長板２３と、第１のＴＡＣ層２２２ｂと、ＰＶＡ層２２２ｃと、第２のＴＡＣ層２２２ｄと、補償層２２２ｅと、離型フィルム２２２ｆを順に配置して含む。このうち第２のＴＡＣ層２２２ｄと補償層２２２ｅとの間は、第１の粘着剤２２２ｇにより接合されている。また、補償層２２２ｅと離型フィルム２２２ｆとの間は、第２の粘着剤２２２ｈにより接合されている。保護層２２２ａの表面は、加工処理を施した上で直接拡散フィルム２６として使用することもさらに可能であり（図５Ｃ参照）、これにより拡散フィルム２６のコストを省くことができる。
【００２２】
また、さらに図５Ｄと図５Ｅに示すように、第１の偏光板２２の中の第１のＴＡＣ層２２２ｂを、半波長板２３で代用することも可能である。即ち、半波長板２３をＰＶＡ層２２２ｃに直接貼り合わせ、別種の複合光学フィルム２２ｂを形成することもできる。
【００２３】
図６に示すように、本発明の好ましい実施形態における液晶表示装置の発光効率を向上させる方法は、Ｓ１からＳ３までのステップを含む。
図２、図６を参照すると、ステップＳ１では、バックライトモジュール２１により第１の偏光２１１を発生する。ステップＳ２では、第１の偏光２１１を、第１の偏光板２２の透過軸２２１に平行な第２の偏光２１３に変換する。ステップＳ３では、第２の偏光２１３を、第１の偏光板２２と液晶セル２５と第２の偏光板２４を順に通過させて、液晶表示装置から出射させる。ここで、第１の偏光２１１は、半波長板２３を透過することにより、第２の偏光２１３に変換される。液晶表示装置の発光効率を向上させる方法については、すでに上記の実施形態において開示されているので、重複を避けるため、ここでは詳述しない。
【００２４】
以下、本発明の好ましい実施形態における液晶表示装置の発光効率を向上させる方法の原理について、一つの実例を挙げて説明する。輝度に対して最も大きく寄与する緑の光が最適になるように（即ち、緑の楕円偏光の長軸ＡＬが第１の偏光板２２の透過軸２２１に平行になるように）するとし、バックライトモジュール２１が発生する第１の偏光（楕円偏光）２１１が赤Ｒ、緑Ｇ、青Ｂの３色の光を含み、その赤Ｒ、緑Ｇ、青Ｂの光の第１の偏光板２２の透過軸２２１に平行な成分の割合がそれぞれ、
【数４】
2007304586.tif 000006
を満たし、その赤Ｒ、緑Ｇ、青Ｂの光の透過軸２２１に垂直な成分の割合がそれぞれ、
【数５】
2007304586.tif 000007
を満たし、赤の楕円偏光と緑の楕円偏光との挟角がθ1＝１０°であり、青の楕円偏光と緑の楕円偏光との挟角がθ2＝１０°であり（図３Ｂ参照）、楕円偏光の長軸ＡＬ＝１．２であり、短軸ＡＳ＝０．８である（図３Ａ参照）と仮定すると、その透過率は下式のとおりとなる。
【数６】
2007304586.tif 000008
【００２５】
上式から明らかなように、もし液晶の吸収効果を考慮しなければ、本実施形態による液晶表示装置の光透過率Ｔは５８．９％となり、先に示した従来の４９．４％と比べて２０％増加している。即ち、本実施形態による液晶表示装置は、その発光効率を向上させることが可能である。
【００２６】
以上をまとめると、本発明による液晶表示装置とその発光効率を向上させる方法は、Ｖ溝フィルムを透過して発生した楕円偏光を、半波長板を透過させることにより、楕円偏光の長軸を第１の偏光板の透過軸と平行になるまで回転することにより、より多くの光が第１の偏光板を透過できるようにすることによって、光の利用効率を高めることができる。その結果、液晶表示装置の発光効率が有意に向上する。
【００２７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。本明細書または図面に例示した技術は、複数の目的を同時に達成するものであり、そのうちの一つの目的を達成すること自体で技術的有用性を持つものである。
【図面の簡単な説明】
【００２８】
【図１Ａ】従来の液晶表示装置の構成を示す分解図。
【図１Ｂ】従来の液晶表示装置の偏光板の構成を示す模式図。
【図２】本発明の好ましい実施形態による液晶表示装置の構成を示す分解図。
【図３Ａ】楕円偏光を示す模式図。
【図３Ｂ】本実施形態における各色の楕円偏光を説明する模式図。
【図４】（Ａ）第１の偏光軸の角度と、（Ｂ）第１の偏光板の透過軸の角度と、（Ｃ）半波長板の遅速軸の角度と、（Ｄ）それらの角度の関係を示す図。
【図５Ａ】本実施形態の一変形例である液晶表示装置の構成を示す模式図。
【図５Ｂ】本実施形態の一変形例である液晶表示装置の構成を示す模式図。
【図５Ｃ】本実施形態の一変形例である液晶表示装置の構成を示す模式図。
【図５Ｄ】本実施形態の一変形例である液晶表示装置の構成を示す模式図。
【図５Ｅ】本実施形態の一変形例である液晶表示装置の構成を示す模式図。
【図６】本発明の好ましい実施形態における液晶表示装置の発光効率を向上させる方法のフローチャート。
【符号の説明】
【００２９】
・１１  バックライトモジュール
・１１１  光
・１２  液晶表示素子
・１２１  下偏光板
・１２１ａ  保護層
・１２１ｂ  第１のＴＡＣ層
・１２１ｃ  ＰＶＡ層
・１２１ｄ  第２のＴＡＣ層
・１２１ｅ  第１の粘着剤
・１２１ｆ  補償層
・１２１ｇ  第２の粘着剤
・１２１ｈ  離型フィルム
・１２２  液晶セル
・１２３  上偏光板
・２１  バックライトモジュール
・２１１  第１の偏光
・２１２  Ｖ溝フィルム
・２１３  第２の偏光
・２２  第１の偏光板
・２２ａ、２２ｂ  複合光学フィルム
・２２１  透過軸
・２２２ａ  保護層
・２２２ｂ  第１のＴＡＣ層
・２２２ｃ  ＰＶＡ層
・２２２ｄ  第２のＴＡＣ層
・２２２ｅ  補償層
・２２２ｆ  離型フィルム
・２２２ｇ  第１の粘着剤
・２２２ｈ  第２の粘着剤
・２３  半波長板
・２３１  遅相軸
・２４  第２の偏光板
・２５  液晶セル
・２６  拡散フィルム
・ＡＬ  長軸
・ＡＳ  短軸
・ＬＳ  光源
・θ1、θ2  挟角
・Ｒ  赤色光
・Ｇ  緑色光
・Ｂ  青色光
・Ｓ１〜Ｓ３  液晶表示装置の発光効率を向上させる方法の各ステップ
【図１Ａ】
2007304586.tif 000009
【図１Ｂ】
2007304586.tif 000010
【図２】
2007304586.tif 000011
【図３Ａ】
2007304586.tif 000012
【図３Ｂ】
2007304586.tif 000013
【図４】
2007304586.tif 000014
【図５Ａ】
2007304586.tif 000015
【図５Ｂ】
2007304586.tif 000016
【図５Ｃ】
2007304586.tif 000017
【図５Ｄ】
2007304586.tif 000018
【図５Ｅ】
2007304586.tif 000019
【図６】
2007304586.tif 000020